(57)【要約】【課題】  雲の有無を局所的に測定することができる気象測定装置を提供する。【解決手段】  この気象測定装置は、４個以上のＧＰＳ衛星それぞれから、発信時刻情報及び発信地点情報を含むＧＰＳ信号を受信するＧＰＳ信号受信部１０と、受信した４種類以上のＧＰＳ信号を演算処理することにより、ＧＰＳ信号受信部１０の位置を示す位置情報を算出する位置情報算出部１２と、位置情報、第１のＧＰＳ信号に含まれる発信地点情報、及び電波の基準伝搬速度を用いることにより、第１のＧＰＳ信号が発信されてから受信されるまでの基準遅延時間を算出する基準時間算出部１３と、第１のＧＰＳ信号を受信した時刻と発信時刻情報との差である実遅延時間を算出する遅延時間算出部１４と、基準遅延時間と実遅延時間の差を用いて、第１のＧＰＳ信号を発信したＧＰＳ衛星とＧＰＳ信号受信部の間に存在する水蒸気量を算出する水蒸気量算出部１５とを具備する。【選択図】      図２
2007010460.tif 000002
【特許請求の範囲】
【請求項１】
４個以上のＧＰＳ衛星それぞれから、発信時刻情報及び発信地点情報を含むＧＰＳ信号を受信するＧＰＳ信号受信部と、
前記ＧＰＳ信号受信部が受信した４種類以上の前記ＧＰＳ信号を演算処理することにより、前記ＧＰＳ信号受信部の位置を示す位置情報を算出する位置情報算出部と、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出する基準時間算出部と、
前記第１のＧＰＳ信号を受信した時刻と、前記発信時刻情報との差である実遅延時間を算出する遅延時間算出部と、
前記基準遅延時間と前記実遅延時間の差を用いて、前記第１のＧＰＳ信号を発信したＧＰＳ衛星と前記ＧＰＳ信号受信部の間に存在する水蒸気量を算出する水蒸気量算出部と、
を具備する気象測定装置。
【請求項２】
前記気象測定装置は移動端末である請求項１に記載の気象測定装置。
【請求項３】
前記気象測定装置は、前記４種類以上のＧＰＳ信号それぞれを用いて、前記４個以上のＧＰＳ衛星それぞれと前記ＧＰＳ信号受信部の間に存在する水蒸気量を算出する請求項１又は２に記載の気象測定装置。
【請求項４】
算出した前記水蒸気量を、前記ＧＰＳ信号受信部が前記ＧＰＳ信号を受信した時刻、前記位置情報、及び前記ＧＰＳ信号を発信した前記ＧＰＳ衛星の方向それぞれに対応付けて記録する履歴記録部を更に具備する請求項３に記載の気象測定装置。
【請求項５】
前記履歴記録部は、前記水蒸気量が基準値以上である場合に、前記水蒸気量を前記時刻、前記位置情報及び前記方向に対応付けて記録する請求項４に記載の気象測定装置。
【請求項６】
前記履歴記録部に格納されているデータを用いて、雲が存在すると推定される地点を算出し、該算出した地点を表示装置に表示させる表示制御部を更に具備する請求項４又は５に記載の気象測定装置。
【請求項７】
前記表示制御部は、基準値以上の前記水蒸気量に対応付けられている前記位置情報が示す位置から、該位置情報に対応する前記方向に延伸する直線を引き、該直線が基準高さを通過する地点に、雲が存在すると推定する請求項６に記載の気象測定装置。
【請求項８】
ＧＰＳ衛星から、発信時刻情報及び発信地点情報を含むＧＰＳ信号を受信するＧＰＳ信号受信部と、
前記ＧＰＳ信号受信部の位置を示す位置情報を保持する位置情報保持部と、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出する基準時間算出部と、
実際にＧＰＳ信号受信部が前記ＧＰＳ信号を受信した時間と、前記発信時刻情報との差である実遅延時間を算出する遅延時間算出部と、
前記基準遅延時間と前記実遅延時間の差を用いて、前記ＧＰＳ衛星と前記ＧＰＳ信号受信部の間に存在する水蒸気量を算出する水蒸気量算出部と、
を具備する気象測定装置。
【請求項９】
４個以上のＧＰＳ衛星それぞれから、発信時刻情報及び発信地点情報を含むＧＰＳ信号を受信し、受信した４種類以上の前記ＧＰＳ信号を演算処理することにより、前記ＧＰＳ信号を受信した位置を示す位置情報を算出し、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出し、
実際に前記第１のＧＰＳ信号を受信した時間と、前記発信時刻情報との差である実遅延時間を算出し、
前記基準遅延時間と前記実遅延時間の差を用いて、前記第１のＧＰＳ信号を発信したＧＰＳ衛星と前記ＧＰＳ信号を受信した位置の間に存在する水蒸気量を算出する、気象測定方法。
【請求項１０】
ＧＰＳ衛星から、発信時刻情報及び発信地点情報を含むＧＰＳ信号を受信し、
前記ＧＰＳ信号を受信する位置を示す位置情報を保持しておき、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出し、
実際にＧＰＳ信号受信部が前記ＧＰＳ信号を受信した時間と、前記発信時刻情報との差である実遅延時間を算出し、
前記基準遅延時間と前記実遅延時間の差を用いて、前記ＧＰＳ衛星と前記ＧＰＳ信号を受信した位置の間に存在する水蒸気量を算出する、気象測定方法。
【請求項１１】
コンピュータで実行可能なプログラムであって、前記コンピュータに、
４個以上のＧＰＳ衛星それぞれから、発信時刻情報及び発信地点情報を含むＧＰＳ信号を受信する機能と、
受信した４種類以上の前記ＧＰＳ信号を演算処理することにより、前記ＧＰＳ信号を受信した位置を示す位置情報を算出する機能と、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出する機能と、
実際に前記第１のＧＰＳ信号を受信した時間と、前記発信時刻情報との差である実遅延時間を算出する機能と、
前記基準遅延時間と前記実遅延時間の差を用いて、前記第１のＧＰＳ信号を発信したＧＰＳ衛星と前記ＧＰＳ信号を受信した位置の間に存在する水蒸気量を算出する機能と、
を実現させるプログラム。
【請求項１２】
コンピュータで実行可能なプログラムであって、前記コンピュータに、
ＧＰＳ衛星から、発信時刻情報及び発信地点情報を含むＧＰＳ信号を受信する機能と、
前記ＧＰＳ信号を受信する位置を示す位置情報を保持する機能と、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出する機能と、
実際にＧＰＳ信号受信部が前記ＧＰＳ信号を受信した時間と、前記発信時刻情報との差である実遅延時間を算出する機能と、
前記基準遅延時間と前記実遅延時間の差を用いて、前記ＧＰＳ衛星と前記ＧＰＳ信号を受信した位置の間に存在する水蒸気量を算出する機能と、
を実現させるプログラム。
【発明の詳細な説明】
【技術分野】
【０００１】
本発明は、気象測定装置、気象測定方法、及びプログラムに関する。特に本発明は、周囲の雲の有無を局所的に測定することができる気象測定装置、気象測定方法、及びプログラムに関する。
【背景技術】
【０００２】
従来の気象予報は、気象衛星による情報等を解析することにより、ある程度広範囲な地域ごと（例えば県単位又は市町村単位）に、ある程度長い時間単位（例えば３時間単位）の予報として提供されている。すなわち、従来の気象予報は、地域及び時間それぞれである程度平均化した気象を予報していることになる。
【発明の開示】
【発明が解決しようとする課題】
【０００３】
例えば山間部では、わずかな距離を離れるだけで気象が全く異なる場合が多い。このため、自分の周囲の局所的な気象情報（例えば雲の有無）を得ることが重要な場合がある。
本発明は上記のような事情を考慮してなされたものであり、その目的は、周囲の雲の有無を局所的に測定することができる気象測定装置、気象測定方法、及びプログラムを提供することにある。
【課題を解決するための手段】
【０００４】
上記課題を解決するため、本発明に係る気象測定装置は、４個以上のＧＰＳ衛星それぞれから、発信時刻情報及び発信地点情報を含むＧＰＳ信号を受信するＧＰＳ信号受信部と、
前記ＧＰＳ信号受信部が受信した４種類以上の前記ＧＰＳ信号を演算処理することにより、前記ＧＰＳ信号受信部の位置を示す位置情報を算出する位置情報算出部と、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出する基準時間算出部と、
前記第１のＧＰＳ信号を受信した時刻と、前記発信時刻情報との差である実遅延時間を算出する遅延時間算出部と、
前記基準遅延時間と前記実遅延時間の差を用いて、前記第１のＧＰＳ信号を発信したＧＰＳ衛星と前記ＧＰＳ信号受信部の間に存在する水蒸気量を算出する水蒸気量算出部と、
を具備する。
【０００５】
電波の伝播速度は、伝播する空間に存在する水蒸気の量によって変化する。このため、本気象測定装置のように、前記基準遅延時間と前記実遅延時間の差を用いることにより、前記第１のＧＰＳ信号を発信したＧＰＳ衛星と前記ＧＰＳ信号受信部の間に存在する水蒸気量を算出することができる。この水蒸気量は、主に雲の有無によって変化する。このため、本気象測定装置によれば、周囲の雲の有無を局所的に測定することができる。
【０００６】
前記気象測定装置は移動端末である場合、特に効果を発揮する。前記気象測定装置は、前記４種類以上のＧＰＳ信号それぞれを用いて、前記４個以上のＧＰＳ衛星それぞれと前記ＧＰＳ信号受信部の間に存在する水蒸気量を算出するのが好ましい。
【０００７】
算出した前記水蒸気量を、前記ＧＰＳ信号受信部が前記ＧＰＳ信号を受信した時刻、前記位置情報、及び前記ＧＰＳ信号を発信した前記ＧＰＳ衛星の方向それぞれに対応付けて記録する履歴記録部を更に具備してもよい。この場合、前記履歴記録部は、前記水蒸気量が基準値以上である場合に、前記水蒸気量を前記時刻、前記位置情報及び前記方向に対応付けて記録してもよい。このようにするのは、前記水蒸気量が基準値以上である場合、雨雲が存在する可能性が高いためである。
【０００８】
前記履歴記録部に格納されているデータから、雲が存在すると推定される地点を算出し、該算出した地点を表示装置に表示させる表示制御部を更に具備してもよい。この場合、前記表示制御部は、例えば、基準値以上の前記水蒸気量に対応付けられている前記位置情報が示す位置から、該位置情報に対応する前記方向に延伸する直線を引き、該直線が基準高さを通過する地点に、雲が存在すると推定する。
【０００９】
本発明に係る他の気象測定装置は、ＧＰＳ衛星から、発信時刻情報及び発信地点情報を含むＧＰＳ信号を受信するＧＰＳ信号受信部と、
前記ＧＰＳ信号受信部の位置を示す位置情報を保持する位置情報保持部と、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出する基準時間算出部と、
実際にＧＰＳ信号受信部が前記ＧＰＳ信号を受信した時間と、前記発信時刻情報との差である実遅延時間を算出する遅延時間算出部と、
前記基準遅延時間と前記実遅延時間の差を用いて、前記ＧＰＳ衛星と前記ＧＰＳ信号受信部の間に存在する水蒸気量を算出する水蒸気量算出部とを具備する。
【００１０】
本発明に係る気象測定方法は、４個以上のＧＰＳ衛星それぞれから、発信時刻情報及び発信地点情報を含むＧＰＳ信号を受信し、受信した４種類以上の前記ＧＰＳ信号を演算処理することにより、前記ＧＰＳ信号を受信した位置を示す位置情報を算出し、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出し、
実際に前記第１のＧＰＳ信号を受信した時間と、前記発信時刻情報との差である実遅延時間を算出し、
前記基準遅延時間と前記実遅延時間の差を用いて、前記第１のＧＰＳ信号を発信したＧＰＳ衛星と前記ＧＰＳ信号を受信した位置の間に存在する水蒸気量を算出する。
【００１１】
本発明に係る他の気象測定方法は、ＧＰＳ衛星から、発信時刻情報及び発信地点情報を含むＧＰＳ信号を受信し、
前記ＧＰＳ信号を受信する位置を示す位置情報を保持しておき、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出し、
実際にＧＰＳ信号受信部が前記ＧＰＳ信号を受信した時間と、前記発信時刻情報との差である実遅延時間を算出し、
前記基準遅延時間と前記実遅延時間の差を用いて、前記ＧＰＳ衛星と前記ＧＰＳ信号を受信した位置の間に存在する水蒸気量を算出する。
【００１２】
本発明に係るプログラムは、コンピュータで実行可能なプログラムであって、前記コンピュータに、
４個以上のＧＰＳ衛星それぞれから、発信時刻情報及び発信地点情報を含むＧＰＳ信号を受信する機能と、
受信した４種類以上の前記ＧＰＳ信号を演算処理することにより、前記ＧＰＳ信号を受信した位置を示す位置情報を算出する機能と、
前記位置情報、第１の前記ＧＰＳ信号に含まれる前記発信地点情報、及び電波の基準伝搬速度を用いることにより、前記第１のＧＰＳ信号が発信されてから受信されるまでの基準遅延時間を算出する機能と、
実際に前記第１のＧＰＳ信号を受信した時間と、前記発信時刻情報との差である実遅延時間を算出する機能と、
前記基準遅延時間と前記実遅延時間の差を用いて、前記第１のＧＰＳ信号を発信したＧＰＳ衛星と前記ＧＰＳ信号を受信した位置の間に存在する水蒸気量を算出する機能と、
を実現させる。
【００１３】
本発明に係る他のプログラムは、コンピュータで実行可能なプログラムであって、前記コンピュータに、
ＧＰＳ衛星から、発信時刻情報及び発信地点情報を含むＧＰＳ信号を受信する機能と、
前記ＧＰＳ信号を受信する位置を示す位置情報を保持する機能と、
前記位置情報、前記ＧＰＳ信号に含まれる前記発信地点情報、及び電波の基準伝搬速度を用いることにより、前記ＧＰＳ信号が発信されてから受信されるまでの基準遅延時間を算出する機能と、
実際にＧＰＳ信号受信部が前記ＧＰＳ信号を受信した時間と、前記発信時刻情報との差である実遅延時間を算出する機能と、
前記基準遅延時間と前記実遅延時間の差を用いて、前記ＧＰＳ衛星と前記ＧＰＳ信号を受信した位置の間に存在する水蒸気量を算出する機能と、
を実現させる。
【発明を実施するための形態】
【００１４】
以下、図面を参照して本発明の実施形態について説明する。図１は、本発明の第１の実施形態に係る気象測定装置１の概略を説明する為の概念図である。気象測定装置１は携帯型の装置（携帯通信端末、及び車載型の装置を含む）であり、４個以上のＧＰＳ衛星５０それぞれからＧＰＳ信号を受信する。それぞれのＧＰＳ信号には、ＧＰＳ衛星５０がＧＰＳ信号を発信した時刻を示す発信時刻情報、及びＧＰＳ衛星５０がＧＰＳ信号を発信した地点を示す発信地点情報が含まれている。
【００１５】
気象測定装置１は、受信した４種類以上のＧＰＳ信号を解析し、気象測定装置１の現在位置を示す位置情報（例えば緯度経度情報）を算出する。また、気象測定装置１は、ＧＰＳ信号が発信されてから受信されるまでの時間である実遅延時間を算出する。この実遅延時間は、ＧＰＳ衛星５０と気象測定装置１の間の空間に含まれる水蒸気量（例えば雲）によって変化する。
【００１６】
このため、気象測定装置１は、実遅延時間を測定することにより、気象測定装置１の周囲に位置する雲を局所的に測定することができる。また、気象測定装置１は、測定した雲の位置の変化を表示するため、気象測定装置１の所持者に、雲の移動方向を認識させることができる。
【００１７】
図２は、気象測定装置１の構成を説明する為のブロック図である。気象測定装置１は、ＧＰＳ信号受信部１０、時計１１、位置情報算出部１２、基準時間算出部１３、遅延時間算出部１４、水蒸気量算出部１５、履歴格納部２０、表示制御部３０、及び表示装置４０を有する。以下、気象測定装置１の動作を説明する。
【００１８】
まず、ＧＰＳ信号受信部１０は、４個以上のＧＰＳ衛星５０それぞれからＧＰＳ信号を受信し、ＧＰＳ信号を受信した時刻を示す受信時刻情報に対応付ける。ＧＰＳ信号受信部１０は、受信時刻情報を時計１１から取得する。
【００１９】
ＧＰＳ信号受信部１０がＧＰＳ信号を受信すると、位置情報算出部１２は、実遅延時間を、ＧＰＳ信号に含まれる発信時刻情報と受信時刻情報との差分として算出する。そして、ＧＰＳ衛星５０から気象測定装置１までの距離を、実遅延時間と電波の基準伝搬速度の積として算出する。位置情報算出部１２は、この距離の算出を、４つ以上のＧＰＳ衛星５０それぞれに対して行う。そして、算出した４つ以上の距離と、ＧＰＳ衛星５０それぞれの発信地点情報と合わせることにより、気象測定装置１の現在位置を算出する。
【００２０】
上記した現在位置の算出は、原理的には３つのＧＰＳ衛星５０からのＧＰＳ信号を用いることにより行える。しかし、電波の伝搬速度は、ＧＰＳ衛星５０と気象測定装置１の間の空間に含まれる水蒸気によって遅くなるため、位置情報算出部１２が算出した距離には、この遅延に起因した誤差が生じる。位置情報算出部１２は、この誤差を消すために、さらに別のＧＰＳ衛星５０からのＧＰＳ信号を用いている。
【００２１】
その後、基準時間算出部１３は、位置情報算出部１２が算出した気象測定装置１の位置情報と、ＧＰＳ信号に含まれる発信地点情報とから、ＧＰＳ衛星５０から気象測定装置１までの実際の距離を算出する。次いで、この距離を電波の基準伝搬速度で除することにより、ＧＰＳ信号が発信されてから受信されるまでの基準的な時間である基準遅延時間を算出する。基準時間算出部１３は、基準遅延時間の算出を、４種類以上のＧＰＳ信号それぞれに対して行う。
一方、遅延時間算出部１４は、４種類以上のＧＰＳ信号それぞれに対して実遅延時間を算出する。
【００２２】
その後、水蒸気量算出部１５は、実遅延時間と基準遅延時間との差分を算出し、この差分を用いて、ＧＰＳ衛星５０と気象測定装置１の間の空間に含まれる水蒸気量を算出する。水蒸気量算出部１５は、水蒸気量の算出を、４種類以上のＧＰＳ信号それぞれに対して行い、４個以上のＧＰＳ衛星５０それぞれと気象測定装置１の間の空間に存在する水蒸気量を算出する。
【００２３】
図３は、水蒸気量算出部１５が水蒸気量を算出する方法を概念的に説明する為のグラフである。電波の伝搬速度は、空間に含まれる水蒸気量が増えるにつれて遅くなる。このため、水蒸気量算出部１５は、実遅延時間と基準遅延時間との差分を、予め所持している所定の関数に導入することにより、ＧＰＳ衛星５０と気象測定装置１の間の空間に含まれる水蒸気量を算出することができる。ここで用いられる所定の関数は、例えば、予め実遅延時間と基準遅延時間との差分と、水蒸気量との相関を実測し、この実測結果を関数で近似することにより得られる。
【００２４】
なお、水蒸気量算出部１５は、実遅延時間を基準遅延時間で除した値（すなわち遅延率）を別の関数に導入することにより、上記した水蒸気量を算出してもよい。この場合に用いられる関数も、予め遅延率と水蒸気量との相関を実測し、この実測結果を関数で近似することにより得られる。
【００２５】
その後、図２に示すように、履歴格納部２０は、水蒸気量算出部１５の算出結果を記憶する。
図４は、履歴格納部２０が記憶するデータの構成をテーブル形式で示す図である。本図に示す例において、履歴格納部２０は、水蒸気量算出部１５が算出した水蒸気量が一定値以上である場合に、気象測定装置１の位置を基準にしたＧＰＳ衛星５０の方向を、気象測定装置１の位置情報及び受信時刻情報とともに格納する。算出された水蒸気量が一定以上の場合、ＧＰＳ衛星５０と気象測定装置１の間の空間には雨雲が存在する可能性が高いためである。
なお、履歴格納部２０は、算出した全ての水蒸気量を、ＧＰＳ衛星５０の方向、気象測定装置１の位置情報、及び受信時刻情報に対応付けて格納してもよい。
【００２６】
その後、図２に示すように、表示制御部３０は、履歴格納部２０に格納されているデータ（受信時刻情報、位置情報、及びＧＰＳ衛星の方向の組み合わせ）を読み出す。次いで、気象測定装置１の最新の位置情報を表示装置４０に表示させるとともに、雨雲が存在する地点を推定し、この推定した地点を、過去の推定地点と合わせて受信時刻が分かるように表示する。
【００２７】
雨雲が存在すると想定される地点は、例えば以下のようにして算出される。まず、読み出した位置情報が示す位置から、この位置情報に対応付けられている方向に延伸する直線を引く。次いで、この直線が、所定の高さ（例えば３０００ｍ）を通過する地点を算出し、算出した地点を、雨雲が存在すると想定される地点とする。
【００２８】
なお、表示制御部３０は、雨雲が存在すると想定される地点を示す情報を、受信時刻情報に対応付けて履歴格納部２０に格納してもよい。このようにすると、表示制御部３０は、過去の推定地点を表示装置に表示させるときに、上記した演算処理を行わなくて済む。
【００２９】
図５は、表示装置４０の表示例を示す図である。本図において、気象測定装置１の最新の位置情報は、符号４１で示されている。また、雨雲が存在する地点は、符号４２で示されている。なお、雨雲が存在する最新の地点は実線で示されており、それ以前の地点は点線で示されている。このため、気象測定装置１の所持者は、雨雲の動きを視覚的に把握することができる。
【００３０】
気象測定装置１は、上記した動作を定期的に繰り返す。
なお、気象測定装置１は、上記した機能を有するプログラムをコンピュータシステムにインストールすることにより、実現される。このプログラムは、例えば記録媒体を介してコンピュータシステムにインストールされる。プログラムを格納する記録媒体は、例えばフロッピーディスク（商標）、ＣＤ−ＲＯＭ、ＣＤ−Ｒ、ＣＤ−Ｒ／Ｗ、ＤＶＤ−ＲＡＭ、ＭＯ、及び半導体メモリー等のリムーバブルディスク、若しくはハードディスクであるが、これら以外であってもよい。また、このプログラムは、インターネット等の通信回線を介してダウンロードされることにより、コンピュータシステムにインストールされてもよい。
【００３１】
以上、本発明の第１の実施形態によれば、気象測定装置１は、気象測定装置１の周囲における雨雲の有無を局所的に測定することができる。そして、雨雲の推定位置の変化を視覚的に把握できるように表示することができる。従って、気象測定装置１の所持者は、自分の周囲（特に進行方向）の局所的な雨雲の移動を把握することができる。特に、受信可能なＧＰＳ衛星５０の数が多いほど、雨雲の有無及び移動を詳細に把握することができる。
【００３２】
上記の効果は、ＧＰＳ信号が受信できる場所であれば、いずれの場所（例えば山間部）でも得ることができる。また、時間の経過と共に履歴格納部２０に情報が蓄積されていくため、雨雲の移動を詳細に把握することができる。
【００３３】
図６は、本発明の第２の実施形態に係る気象測定装置の構成を説明する為のブロック図である。本図に示す気象測定装置は、固定型の装置であり、位置情報算出部１２の代わりに位置情報保持部１６を有する点を除いて、第１の実施形態に係る気象測定装置と同一の構成である。また、本図に示す気象測定装置の動作は、基準時間算出部１３の動作を除いて、第１の実施形態に係る気象測定装置と同一の構成である。
【００３４】
位置情報保持部１６は、予め気象測定装置の位置情報を保持している。基準時間算出部１３は、位置情報保持部１６が保持している位置情報、及び受信したＧＰＳ信号を用いて、基準遅延時間を算出する。
【００３５】
この気象測定装置は、第１の実施形態と同様に、上記した機能を有するプログラムをコンピュータシステムにインストールすることにより、実現される。なお、本実施形態では、時計及びＧＰＳ信号受信部１０を、その他の部材と別体にし、相互間で情報を通信するようにしてもよい。
【００３６】
本実施形態によっても、気象測定装置は、気象測定装置の周囲における雨雲の有無を局所的に測定することができる。そして、気象測定装置を見ている人に、雨雲の推定位置の変化を視覚的に把握させることができる。
【００３７】
尚、本発明は上述した実施形態に限定されるものではなく、本発明の主旨を逸脱しない範囲内で種々変更して実施することが可能である。例えば第１の実施形態において、位置情報算出部１２が実遅延時間を途中で算出しているため、この実遅延時間を用いることにより、遅延時間算出部１４を省略することができる。
【図面の簡単な説明】
【００３８】
【図１】第１の実施形態に係る気象測定装置１の概略を説明する為の概念図。
【図２】気象測定装置１の構成を説明するブロック図。
【図３】水蒸気量算出部１５が水蒸気量を算出する方法を概念的に説明するグラフ。
【図４】履歴格納部２０が記憶するデータの構成をテーブル形式で示す図。
【図５】表示装置４０の表示例を示す図。
【図６】第２の実施形態に係る気象測定装置の構成を説明するブロック図。
【符号の説明】
【００３９】
１…気象測定装置、１０…ＧＰＳ信号受信部、１１…時計、１２…位置情報算出部、１３…基準時間算出部、１４…遅延時間算出部、１５…水蒸気量算出部、１６…位置情報保持部、２０…履歴格納部、３０…表示制御部、４０…表示装置、５０…ＧＰＳ衛星
【図１】
2007010460.tif 000003
【図２】
2007010460.tif 000004
【図３】
2007010460.tif 000005
【図４】
2007010460.tif 000006
【図５】
2007010460.tif 000007
【図６】
2007010460.tif 000008